(57)【特許請求の範囲】
【請求項１】
複数の枠体を重ね合わせ、これらを締付部材により一体に締付けて組み付けられ、弾球が通過する球通路と、弾球を制御して排出させるための球送部材と、を備えた弾球遊技機における球払出装置であって、
前記枠体間の所定位置に、前記球通路内に進退自在に介入し、かつ、前記締付部材が抜けている状態では一部を前記球通路内に突出して前記弾球の通過を阻止し、また、前記締付部材が正しく取付いている状態では該締付部材によって係止されると共に前記一部を後退して弾球の通過を許容する弾性邪魔部材を配置したことを特徴とする弾球遊技機における球払出装置。
【請求項２】
複数の枠体を重ね合わせ、これらを締付部材により一体に締付けて組み付けられ、弾球が通過する球通路と、弾球を制御して排出させるための球送部材と、を備えた弾球遊技機における球払出装置であって、
前記枠体間の所定位置に、前記球送部材に隣接して一部が該球送部材側へ折曲がり、前記締付部材が抜けているかまたは取付いていても緩んでいる状態では前記一部を前記球送部材に干渉して動作不能とし、また、前記締付部材が正しく取付いている状態では該締付部材によって係止されると共に前記干渉を解き球送部材を動作可能とする弾性邪魔部材を配置したことを特徴とする弾球遊技機における球払出装置。
【請求項３】
前記弾性邪魔部材には、球払出装置の外周面から外方へ突出して弾球遊技機の裏面に取付けるための取付片部が設けられている請求項１又は２記載の弾球遊技機における球払出装置。
【発明の詳細な説明】
【０００１】
【発明の属する技術分野】
本発明は、一定の条件のもとで所定数のパチンコ球を払い出すようにした弾球遊技機の球払出装置に関するものである。
【０００２】
【従来の技術】
弾球遊技機の一種であるパチンコ遊技機では、遊技者の金銭の支払いに伴いこれに見合ったパチンコ球を貸球として払い出し、また、遊技盤の前面に装着された各種の入賞口のうちいずれかの入賞口にパチンコ球が入賞すると、一定の条件に従い所定数のパチンコ球が賞球として払い出されれるようになっている。そして、パチンコ遊技機の裏側であって、前記パチンコ球を排出する経路の途中に球払出装置が設けられ、一個づつ電気的にカウントしながら設定個数のパチンコ球を排出するようにしている。
【０００３】
前記球払出装置は、複数の枠体を重ね合わせると共にこれらを複数のビスにより一体に締付けて組み付けられており、内部にはパチンコ球を供給する球通路としての供給通路と、回転することにより前記パチンコ球を一個づつ排出させるための球送部材と、その球送部材により排出されると共にカウントされたパチンコ球を排出するための球通路としての排出通路と、を備えている。
【０００４】
ところで、通常、前記球払出装置は、製造メーカーでの製造及び出荷の段階にて、締付用のビスが取付いているかどうか、または取付いていても緩んでないかどうかを検査し、更に、球送部材が回転して所定数のパチンコ球が間違いなく排出されるか等の動作テストを行なうようにしている。
【０００５】
【発明が解決しようとする課題】
しかしながら、前記ビスが取付いているかどうか等の検査は、目視で行なわれ、しかも流れ作業的に進められていることから、ビスが間違いなく取付けられているか、または、取付けられているとしても緩んでいるかどうかを正確に発見することは非常に難しく、例えばビスが一箇所取付いていないといった取付不備を残したままの球払出装置が出荷されているのが現状である。
そこで、本発明は上記課題を解決すべくなされたもので、パチンコ球を通過させる球払出装置の動作テストの段階で、前記ビスの取付不備が同時に検査できて、その不備が確実に発見でき、しかも、前記動作テストと同時に検査できることから、検査の簡素化を可能とした弾球遊技機における球払出装置を提供することを目的とするものである。
【０００６】
【課題を解決するための手段】
かかる目的を達成するため、本発明に係る弾球遊技機における球排出装置は、複数の枠体を重ね合わせ、これらを締付部材により一体に締付けて組み付けられ、弾球が通過する球通路と、弾球を制御して排出させるための球送部材と、を備えた弾球遊技機における球払出装置であって、前記枠体間の所定位置に、前記球通路内に進退自在に介入し、かつ、前記締付部材が抜けている状態では一部を前記球通路内に突出して前記弾球の通過を阻止し、また、前記締付部材が正しく取付いている状態では該締付部材によって係止されると共に前記一部を後退して弾球の通過を許容する弾性邪魔部材を配置した構成とする。よって、本発明に係る弾球遊技機における球排出装置は、例えば、複数取付けられるビス等の締付部材のうち、一個所の締付部材が抜けている状態では、前記弾性邪魔部材の一部が前記球通路内に突出して通路幅を狭め弾球の通過を阻止するので、球通路にパチンコ球を供給してその動作テストを行なう段階で、パチンコ球が払い出されないこととなり、ビスが抜けていることが確実に発見できる。
【０００７】
具体的には、例えば、弾球遊技機における球払出装置として、複数の枠体を重ね合わせ、これらを複数のビスにより一体に締付けて組み付けられ、弾球が通過する球通路と、弾球を制御して排出させるための球送部材と、を備えた弾球遊技機における球払出装置であって、前記重合する枠体の対向面に前記球通路と交差する凹溝を設けると共にその端部側にビス止め部を設け、前記凹溝内に、前記球通路内に進退自在に介入すると共に端部側に前記ビスが挿通されるビス挿通孔を有し、かつ前記ビス止め部にビスが抜けている状態では、一部を前記球通路内に突出して弾球の通過を阻止し、また、前記ビス止め部に前記ビス挿通孔を介して前記ビスが正しく取付いている状態では、前記ビスによって係止されると共に前記一部を後退して弾球の通過を許容する弾性邪魔部材を配置した構成が採られる。
【０００８】
また、弾球遊技機における球払出装置の他の構成として、複数の枠体を重ね合わせ、これらを締付部材により一体に締付けて組み付けられ、弾球が通過する球通路と、弾球を制御して排出させるための球送部材と、を備えた弾球遊技機における球払出装置であって、前記枠体間の所定位置に、前記球送部材に隣接して一部が該球送部材側へ折曲がり、前記締付部材が抜けているかまたは取付いていても緩んでいる状態では前記一部を前記球送部材に干渉して動作不能とし、また、前記締付部材が正しく取付いている状態では該締付部材により係止されると共に前記干渉を解き球送部材を回転可能にする弾性邪魔部材を配置した構成がある。この場合は、弾性邪魔部材が球送部材に干渉してパチンコ球を払い出さないようにしているが、締付部材が抜けている場合に加え、その締付部材が取付けられてはいるが緩んでいる場合も発見できるようになっている。
【０００９】
具体的には、例えば、複数の枠体を重ね合わせ、これらをビスにより一体に締付けて組み付けられ、弾球が通過する球通路と、弾球を制御して排出させるための球送部材と、を備えた弾球遊技機における球払出装置であって、前記重合する枠体の対向面に凹溝を設けると共にその先端側にビス止め部を設け、前記凹溝内に、前記球送部材に隣接して一部が該球送部材側へ折曲がり、前記ビスが抜けているかまたは取付いていても緩んでいる状態では、前記一部を前記球送部材に干渉して動作不能とし、また、前記ビスが正しく取付いている状態では、前記ビスにより係止されると共に前記干渉を解き球送部材を動作可能とする弾性邪魔部材を配置した構成が採られる。
【００１０】
前記いずれの場合も、前記枠体間に配置される弾性邪魔部材には、球払出装置の外周面から外方へ突出して弾球遊技機の裏面に取付けるための取付片部が設けられていることが好ましい。これにより、球払出装置を弾球遊技機の裏面に取付けるための取付部が成形されることになり、別途そのような取付部を球払出装置に設ける必要がなく、球払出装置の成形が簡単となり製作コストも低廉になし得る。
【００１１】
【発明の実施の形態】
以下、本発明に係る弾球遊技機における球払出装置の実施の形態を図面と共に説明する。なお、弾球遊技機には、例えば、パチンコ遊技機、アレンジボール機または雀球遊技機があるが、本発明にあっては、一例としてパチンコ遊技機に適用される球払出装置について説明する。この球払出装置には二種類あり、これらを第一・第二実施の形態としてそれぞれ説明する。
【００１２】
まず、第一実施の形態に係る球払出装置Ａ１について説明する。図１は、第一実施の形態に係る球排出装置の斜視図、図２は、同分解斜視図である。球払出装置Ａ１は、箱枠状をなす合成樹脂製のケース体１からなる。このケース体１は、主枠体２と該主枠体２の一側面に重合される平板状の蓋枠体３とからなる。前記主枠体２には、中央上部と中央下部に、弾球であるパチンコ球が供給される球通路としての供給通路４ａと前記パチンコ球が排出される球通路としての排出通路４ｂが成形され、その間に互いに連通する円形窪部５が成形される。これら供給通路４ａ、排出通路４ｂ及び円形窪部５はいずれも一側面が開放されている。前記円形窪部５内には、鉛直面内で回転し、前記供給通路４ａに供給されたパチンコ球を受け入れ下方の排出通路４ｂに排出する球送部材６が配設される。この球送部材６は、その両側面に前記主枠体２の側板２ａと蓋枠体３とに設けられた軸受部７に軸承される回転軸８を有し、また、その外周にパチンコ球を一個々受け入れ回転方向へ運ぶ四枚の羽根９が放射状かつ等間隔に突設されている。
【００１３】
前記主枠体２の一側面、すなわち蓋枠体３と対向する面には、上縁部と下縁部に沿って前記供給通路４ａ及び排出通路４ｂと直行状に交差する凹溝１０が刻設されている。この凹溝１０は、前記供給通路４ａ及び排出通路４ｂの内周面にまで成形される。そして、各凹溝１０の側端部にビス１１が螺合されるビス止め部としてのビス孔１２が設けられている。
【００１４】
１３は、前記凹溝１０に嵌め込まれる弾性邪魔部材であり、弾性を有して変形可能な金属帯板または弾性を有して変形可能な合成樹脂帯板からなり、長手方向の中央部に前記供給通路４ａまたは排出通路４ｂ内の凹溝１０に嵌り込む平面コ字状の屈曲部１４が設けられている。ただ、屈曲部１４は、弾性邪魔部材１３に長手方向に沿った外力が働かない限り、その弾性により開放側が窄み平面三角形状になっている。このように、前記供給通路４ａまたは排出通路４ｂ内で、前記屈曲部１４が窄んでいる状態では、これが邪魔して前記通路４ａ，４ｂ内をパチンコ球は通過し得ない。また、前記屈曲部１４が開いて前記通路４ａ，４ｂ内の凹溝１０内に嵌っている状態では、パチンコ球が支障なく通過し得るようになっている。前記弾性邪魔部材１３の両側端部には、ビス挿通孔１５が開設されると共にその外側に球払出装置Ａの外周面から外方へ突出すると共に弾球遊技機（図示せず。）の裏面に取り付けるための取付片部１６が設けられ、この取付片部１６に取付用孔１７が開設されている。
【００１５】
前記蓋枠体３の四隅部には、前記主枠体２の各ビス孔１２に対応位置させてビス止め部としてのビス挿通孔１８が開設されている。なお、ケース体１には、他に例えば、前記主枠体２の他側面に前記球送部材６を回転駆動させるモータが装着され、排出通路４ｂには払い出されるパチンコ球を電気的に検出するための球検出器が取り付けられるが、図示は省略する。
【００１６】
第一実施の形態に係る球払出装置Ａ１は上記構成からなり、球送部材６を円形窪部５内に収容すると共に各弾性邪魔部材１３を凹溝１０に嵌め込み、更に、蓋枠体３を主枠体２の一側面に当接する。この場合、各供球通路４ａ、排出通路４ｂ内の弾性邪魔部材１３の屈曲部１４は、パチンコ球が通過し得ないようにほぼ三角形状をしている。そして、弾性邪魔部材１３において、ケース体１の両側面から外方へ突出する一方の取付片部１６を引き出し、ビス孔１２と両ビス挿通孔１５，１８とを合致させて両ビス挿通孔１５，１８を介してビス孔１２にビス１１を螺締めして取付ける。他の三箇所のビス孔１２に対しても同様にしてビス１１を螺締めして取付ける。これにより、図３（イ）に示すように各供球通路４ａ、排出通路４ｂ内では、前記屈曲部１４が両側へ開き凹溝１０内に嵌り込んでパチンコ球が通過できるようになる。よって、製品の出荷の段階で、その動作テストをする際、パチンコ球がいずれの球通路４ａ，４ｂも通過すれば、すべてのビス孔１２にビス１１が螺締めして取付けられていることになり、ビス１１の取付不備が同時にかつ確実に検査できる。よって、各ビス孔１２にビス１１が取付けられているか目視して仔細に検査する必要はない。
【００１７】
一方、仮に、図３（ロ）に示すように一ヶ所のビス孔１２に対してビス１１が抜けていた場合は、供給通路４ａまたは排出通路４ｂ内の弾性邪魔部材１３の屈曲部１４が、通路４ａ，４ｂ内に突出してその通路を狭め、パチンコ球の流れを阻止することとなる。よって、作動テストを行なう段階でビス１２の取付不備が正確に発見できる。なお、このような事態を発見した場合は、そのビス孔１２にビス１１を螺締めしておく。
【００１８】
次に、第二実施の形態に係る球払出装置Ａ２について説明する。図４は、第二実施の形態に係る球排出装置の斜視図、図５は、同分解斜視図である。この球払出装置Ａ２も、箱枠状をなす合成樹脂製のケース体２１からなる。このケース体２１は、主枠体２２と該主枠体２２の一側面に重合される平板状の蓋枠体２３とからなる。前記主枠体２２には、中央上部と中央下部に、パチンコ球が供給される球通路としての供給通路２４ａと前記パチンコ球が排出される球通路としての排出通路２４ｂが成形され、その間に互いに連通する円形窪部２５が成形される。これら供給通路２４ａ、排出通路２４ｂ及び円形窪部２５はいずれも一側面が開放されている。前記円形窪部２５内には、鉛直面内で回転し、前記供給通路２４ａに供給されたパチンコ球を受け入れ、下方の排出通路２４ｂに排出する球送部材２６が配設される。この球送部材２６は、その両側面に前記主枠体２２の側板２２ａと蓋枠体２３とに設けられた軸受部２７に軸承される回転軸２８を有し、その外周にパチンコ球を一個々受け入れ回転方向へ運ぶ四枚の羽根２９が放射状かつ等間隔に突設されている。
【００１９】
前記主枠体２２の外周面の四隅角部には、窪み部３０が設けられると共に、重合側は外周縁の枠部３０ａを残して開口３１されている。そして、その隅角位置にビス止め部としてのビス挿通孔３２が開設されている。また、主枠体２２の一側面、すなわち蓋枠体２３と対向する面には、前記ビス挿通孔３２を通る対角線に沿って互いに交差する遊嵌溝３３が設けられており、この遊嵌溝３３も一側面が開放されている。この遊嵌溝３３は、後記するように弾性邪魔部材３７が無用に跳ね上がることができる深さを有し、このように跳ね上がることにより弾性邪魔部材３７の一部が球送部材２６に干渉して、その球送部材２６の回転を阻止し、供給通路２４ａに供給されたパチンコ球が排出通路２４ｂ側へ送れないようになっている。
【００２０】
前記蓋枠体２３は、主枠体２２と対向する面であってその四隅角部に、前記窪み部３０の枠部３０ａが嵌入する低い段部３４が成形され、その外側の隅角位置に前記ビス挿通孔３２と対応位置してビス止め部としてのビス孔３５が開設されている。また、前記対向する面には、前記遊嵌溝３３と合致すると共に各段部３４に達する対角線状の凹溝３６が設けられる。３７は、前記凹溝３６に嵌め込まれる×字状の弾性邪魔部材であって、第一実施の形態と同様に、弾性を有し変形可能な金属帯板または弾性を有し変形可能な合成樹脂帯板からなる。そして、中央部に前記回転軸２８が挿通される軸孔３８が開設されると共に、各部材片部３７ａは、先端部側が同方向すなわち主枠体２２側へ折曲され傾斜しており、その各先端部に締付部材としてのビス３９を挿通するビス挿通孔４０が開設されている。
【００２１】
前記弾性邪魔部材３７は、凹溝３６内に嵌め込まれ各ビス挿通孔４０を介して各ビス孔３５にビス３９をしっかり螺締めした状態では、いずれの部材片部３７ａも前記凹溝３６内に嵌入して跳ね上がることがなく、球送部材２６に干渉することもない。よって、前記球送部材２６は自由に回転する。しかし、ビス挿通孔４０を介しいずれかのビス孔３５にビス３９が抜けている場合、または取付いているがしっかり螺締めしてない状態では、その部位の部材片部３７ａが凹溝３６から跳ね上がりまたは浮き上がり、球送部材２６に交わって干渉する。この状態では、球送部材２６は回転不能となり、たとえ供球通路２４ａにパチンコ球を供給しても排出されることはない。
なお、図示は省略するが、前記弾性邪魔部材３７の各部材片部３７ａの先端部には、第一実施の形態と同様に球払出装置Ａ２を弾球遊技機の裏面に取り付けるための取付片部１６を設けるようにしてもよい。
【００２２】
第二実施の形態に係る球払出装置Ａ２は上記構成からなり、弾性邪魔部材３７を各部材片部３７ａが跳ね上がった状態で凹溝３６に嵌め込む。また、球送部材２６を円形窪部２５内に収容し、更に、弾性邪魔部材３７が球送部材２６と向き合うようにして前記蓋枠体２３を主枠体２２の一側面に当接し、前記回転軸２８を軸孔３８及び両軸受部２７に軸承する。この場合、弾性邪魔部材３７の各部材片部３７ａは、球送部材２６側へ跳ね上がって、羽根２９間に介入し、その球送部材２６の回転を阻止している。
【００２３】
そして、図６（イ）に示すように主枠体２２及び弾性邪魔部材３７の各ビス挿通孔３２，４０を介して蓋枠体２３のビス孔３５にビス３９を螺締する。これにより、弾性邪魔部材３７の各部材片部３７ａは、その付勢に抗して蓋枠体２３側へ押されて干渉が解かれ、球送部材２６が回転可能になる。よって、製品の出荷の段階で、動作テストをする際、球送部材２６が回転してパチンコ球が球通路４ａ，４ｂを通過して排出されれば、すべてのビス孔３５にビス３９がしっかりと螺締めされて取付いていることになり、ビス３９の取付不備が動作テストと同時にかつ確実に検査できる。よって、この場合も各ビス孔３５にビス３９が取付けられているか、または、取付けられていてもその緩みはないかといった検査を目視して仔細に検査する必要はない。
【００２４】
一方、仮に、図６（ロ）に示すように一ヶ所のビス孔３５に対してビス３９が抜けていた場合は、その部位の部材片部３７ａが跳ね上がり球送部材２６に干渉して、その回転を阻止する。よって、この状態でその作動テストを行なうと供給されたパチンコ球が排出されないことから、その作動テストを行なう段階でビス３９の取付不備が正確に発見できる。なお、このような事態を発見した場合は、そのビス孔３５にビス３９を螺締めしておく。また、ビス３９が取付けられているが緩んでいる状態でも、前記と同様に部材片部３７ａが浮き上がって球送部材２６と干渉するので、パチンコ球が排出されないこととなり、この場合も作動テストを行なう段階でビス３９の取付不備が発見できる。
両実施の形態において、前記ビス止め部であるビス孔１２，３５とビス挿通孔１８，３２との位置関係は、主枠体２，２２と蓋枠体３，２３とで逆であっても構わない。
【００２５】
第一・第二実施の形態にあっては、球通路が一条であるためケース体を主枠体と蓋枠体との二部材により成形したが、二条または三条とするためその間に例えば中間枠を介在させて三部材、四部材により成形するようにしたとしても、本発明は適用可能である。また、締付部材としてビスを使用したが、これに限らず、例えば二股状の挟着片でケース体を両側から挟んで組み付けるようにした締付金具も締付部材として適用できること勿論である。
【００２６】
【発明の効果】
以上説明したところから明らかなように、請求項１記載の弾球遊技機における球払出装置にあっては、弾性邪魔部材を、締付部材が抜けている状態ではその一部を球通路内に突出させて弾球の通過を阻止し、また、締付部材が正常に取付いている状態では前記一部を後退させて弾球の通過を許容するように設けたので、球払出装置の動作テストを行なう段階で、前記ビスの取付不備が正確に発見でき、これにより不良品の発生を極力減らすことができる。また、前記動作テストと同時に検査できることから、検査が簡素化され作業能率が向上するという効果がある。
【００２７】
請求項２記載の弾球遊技機における球払出装置にあっては、弾性邪魔部材が球送部材に干渉するようになっているので、請求項１と同等の効果が生じ、更には、締付部材が抜けている場合はもちろん、取付けられていても緩んでいる場合も発見でき、検査範囲が広がるという効果がある。
【００２８】
前記いずれの場合も、前記枠体間に配置される弾性邪魔部材には、球払出装置の外周面から外方へ突出して弾球遊技機の裏面に取付けるための取付片部を設けるようにすれば、球払出装置を弾球遊技機の裏面に取付けるための取付部が成形されることになり、別途そのような取付部を球払出装置に設ける必要がなく、球払出装置の成形が簡単となり製作コストも低廉になし得るという効果がある。
【図面の簡単な説明】
【図１】第一実施の形態に係る球払出装置の斜視図。
【図２】同分解斜視図。
【図３】（イ）同要部の平面断面図。
（ロ）同ビスが取付不備である状態を示す平面断面図。
【図４】第二実施の形態に係る球払出装置の斜視図。
【図５】同分解斜視図。
【図６】（イ）同要部の平面断面図。
（ロ）同ビスが取付不備である状態を示す平面断面図。
【符号の説明】
２                枠体（主枠体）
３                枠体（蓋枠体）
４ａ              供給通路
４ｂ              排出通路
６                球送部材
１１              締付部材（ビス）
１２              ビス止め部（ビス孔）
１３              弾性邪魔部材
２２              枠体（主枠体）
２３              枠体（蓋枠体）
２４ａ            供給通路
２４ｂ            排出通路
２６              球送部材
３７              弾性邪魔部材
３９              締付部材（ビス）
Ａ１              球払出装置
Ａ２              球払出装置
【図１】
0003851574.tif 000002
【図２】
0003851574.tif 000003
【図３】
0003851574.tif 000004
【図４】
0003851574.tif 000005
【図５】
0003851574.tif 000006
【図６】
0003851574.tif 000007